(57)【特許請求の範囲】
【請求項１】
操作が入力される操作部と、
自装置の有する機能の起動画面、あるいは通信の発生を待ち受ける待受画面を表示する表示部と、
複数のテキスト情報を、それぞれ識別指標を対応付けてオブジェクトの情報として複数記憶する記憶部と、
前記表示部に前記待受画面を表示させる際、
前記待受画面上の第１表示領域には、前記複数のオブジェクトのうち、少なくとも１つを、テキスト情報を用いて表示させ、
前記待受画面上の第２表示領域には、前記複数のオブジェクトのうち、前記第１表示領域に表示していないオブジェクトを、識別指標を用いて表示させる制御部と、を有することを特徴とする携帯端末装置。
【請求項２】
前記制御部は、前記第１表示領域に前記複数のオブジェクトのうちの少なくとも１つを表示させる際には、テキスト情報とともに対応する識別指標も含んで表示させることを特徴とする請求項１に記載の携帯端末装置。
【請求項３】
前記記憶部には、前記複数のオブジェクトのそれぞれに対し、初期表示位置として前記第１表示領域と前記第２表示領域のいずれかが設定されており、
前記制御部は、前記表示部に前記待受け画面を表示させる際、前記複数のオブジェクトの初期表示位置に基づいて、前記複数のオブジェクトのそれぞれを、前記第１表示領域と前記第２表示領域のいずれかに表示させることを特徴とする請求項１または２に記載の携帯端末装置。
【請求項４】
前記制御部は、前記初期表示位置を、前記オブジェクトの情報のそれぞれの登録時における前記操作部への入力により決定し、前記記憶部に記憶させることを特徴とする請求項３に記載の携帯端末装置。
【請求項５】
前記制御部は、
前記複数のオブジェクトの数が閾値以下である場合に、前記登録時における前記初期表示位置として前記第１表示領域を選択するための第１選択画面を表示させ、
前記複数のオブジェクトの数が閾値を越える場合に、前記登録時における前記初期表示位置として前記第２表示領域を優先的に選択するための第２選択画面を表示させることを特徴とする請求項４に記載の携帯端末装置。
【請求項６】
前記制御部は、前記待受画面を表示した状態で、前記操作部に入力された操作に基づいて、前記第２領域に表示されるオブジェクトが選択されると、当該選択されたオブジェクトの表示位置を、前記第２表示領域から前期第１表示領域に移動させて当該オブジェクトの少なくともテキスト情報を表示させることを特徴とする請求項４または５に記載の携帯端末装置。
【請求項７】
前記記憶部は、前記複数のオブジェクトが循環して移動するように配置順序の情報を記憶しており、表示位置が変更されても前記配置順序の情報は維持されることを特徴とする請求項６に記載の携帯端末装置。
【請求項８】
前記制御部は、前記待受画面上に前記複数のオブジェクトを表示した状態で、その一つが前記操作部への操作により選択されると、選択されたオブジェクトを選択オブジェクトとして特定するカーソルを前記表示部に表示させ、前記操作部により方向指示が入力されると、指示された方向および前記配置順序に従ってカーソルを移動させることを特徴とする請求項７に記載の携帯端末装置。
【請求項９】
前記制御部は、前記待受画面表示中に、前記操作部に前記選択オブジェクトを隣接する配置順序のオブジェクトに変更する操作が入力されたら、
前記選択オブジェクトを変更し、かつ、前記配置順序を維持したまま、前記オブジェクトの表示位置を移動させ、前記カーソルの移動方向にある前記第２表示領域のオブジェクトの１つを前記第１表示領域に移動させ、前記カーソルの進行方向とは反対側にある前記第２表示領域のオブジェクトの１つを前記第２表示領域に移動させることを特徴とする請求項８に記載の携帯端末装置。
【請求項１０】
前記制御部は、前記カーソルを前記表示部の長手方向にのみ移動可能とし、
前記第２表示領域を、前記第１表示領域の前記長手方向の一方の端部に隣接して表示させることを特徴とする請求項８または９に記載の携帯端末装置。
【請求項１１】
前記操作部は、操作されることで数字が入力される数字入力部と、を含み、
前記制御部は、前記表示部が前記待受画面を表示している間に前記数字操作部が操作されたことを検出したら、前記表示部に表示させる画面を前記待受画面から入力された数値を表示させる画面に切り替えることを特徴とする請求項１から請求項１０のいずれか１項に記載の携帯端末装置。
【請求項１２】
通信部をさらに有し、
前記制御部は、前記数値を表示させる画面として、入力された数値を電話番号として表示させ、発信操作が入力されたら、前記通信部により入力された電話番号に対する発信処理を行うことを特徴とする請求項１１に記載の携帯端末装置。
【請求項１３】
前記操作部は、操作されることで所定の機能を呼び出す機能呼出部を含み、
前記制御部は、前記表示部が前記待受画面を表示している間に、前記機能呼出部が操作されたら、前記表示部に表示させる画面を、前記待受画面から前記機能呼出部に対応付けられた機能の画面に切り替えることを特徴とする請求項１から請求項１２のいずれか１項に記載の携帯端末装置。
【請求項１４】
前記制御部は、前記第１表示領域及び前記第２表示領域に、前記複数のオブジェクトを表示した状態で前記操作部へ所定の操作が行われると、全てのオブジェクトを非表示、あるいは第１領域におけるオブジェクトの表示を識別指標のみによる表示に切り替えることを特徴とする請求項１から１３のいずれか１項に記載の携帯端末装置。
【発明の詳細な説明】
【技術分野】
【０００１】
本発明は、待受画面を表示可能な表示部を備えた携帯端末装置に関する。
【背景技術】
【０００２】
近年、携帯電話機等の携帯端末装置は、種々のアプリケーションが使用可能となっている。このアプリケーションの１つとして、待受画面にメモ情報を貼り付けるアプリケーションが提案されている。例えば、特許文献１には、複数の貼り付けメモを待受画面に表示させる表示装置が記載されている。また、特許文献２には、メモではなく、ショートカット機能を備えるアイコンを待受画面に表示させる電子機器が記載されている。
【先行技術文献】
【特許文献】
【０００３】
【特許文献１】特開２００８−５２１４８号公報
【特許文献２】特開２００５−３２２１３５号公報
【発明の概要】
【発明が解決しようとする課題】
【０００４】
特許文献１及び特許文献２に記載の装置のように、待受画面に情報や、選択可能なショートカットを表示させることで、操作性を高くすることができる。ここで、携帯端末装置は、画面の大きさに限界があるため、一定数以上のショートカット等を待受画面に表示させると、１つ１つの表示が小さくなりすぎてしまい、オブジェクトが見えにくくなってしまう。このため、待受画面に見やすく表示できるショートカット等を示す画像の数には限りがある。また、表示部に表示させるショートカット等の数が多くなると、目的のショートカット等を見つけにくくなってしまう。
【０００５】
本発明は、上記に鑑みてなされたものであって、待受画面に見やすくメモやショートカットを示す画像を表示できる携帯端末装置を提供することを目的とする。
【課題を解決するための手段】
【０００６】
上述した課題を解決し、目的を達成するために、本発明に係る携帯端末装置は、操作が入力される操作部と、自装置の有する機能の起動画面、あるいは通信の発生を待ち受ける待受画面を表示する表示部と、複数のテキスト情報を、それぞれ識別指標を対応付けてオブジェクトの情報として複数記憶する記憶部と、前記表示部に前記待受画面を表示させる際、前記待受画面上の第１表示領域には、前記複数のオブジェクトのうち、少なくとも１つを、テキスト情報を用いて表示させ、前記待受画面上の第２表示領域には、前記複数のオブジェクトのうち、前記第１表示領域に表示していないオブジェクトを、識別指標を用いて表示させる制御部と、を有することを特徴とする。
【０００７】
ここで、前記制御部は、前記第１表示領域に前記複数のオブジェクトのうちの少なくとも１つを表示させる際には、テキスト情報とともに対応する識別指標も含んで表示させることが好ましい。
【０００８】
また、前記記憶部には、前記複数のオブジェクトのそれぞれに対し、初期表示位置として前記第１表示領域と前記第２表示領域のいずれかが設定されており、前記制御部は、前記表示部に前記待受け画面を表示させる際、前記複数のオブジェクトの初期表示位置に基づいて、前記複数のオブジェクトのそれぞれを、前記第１表示領域と前記第２表示領域のいずれかに表示させることが好ましい。
【０００９】
また、前記制御部は、前記初期表示位置を、前記オブジェクトの情報のそれぞれの登録時における前記操作部への入力により決定し、前記記憶部に記憶させることが好ましい。
【００１０】
また、前記制御部は、前記複数のオブジェクトの数が閾値以下である場合は、前記登録時における前記初期表示位置として前記第１表示領域を設定する操作を、前記複数のオブジェクトの数が閾値を越える場合に比して、より簡単な操作とすることが好ましい。
【００１１】
また、前記制御部は、前記待受画面を表示した状態で、前記操作部に入力された操作に基づいて、前記第２領域に表示されるオブジェクトが選択されると、当該選択されたオブジェクトの表示位置を、前記第２表示領域から前期第１表示領域に移動させて当該オブジェクトの少なくともテキスト情報を表示させることが好ましい。
【００１２】
また、前記記憶部は、前記複数のオブジェクト同士の、相対的な配置順序の情報を記憶しており、表示位置が変更されても前記配置順序の情報は維持されることが好ましい。
【００１３】
また、前記制御部は、前記待受画面上に前記複数のオブジェクトを表示した状態で、その一つが前記操作部への操作により選択されると、選択されたオブジェクトを選択オブジェクトとして特定するカーソルを前記表示部に表示させ、前記操作部により方向指示が入力されると、指示された方向および前記配置順序に従ってカーソルを移動させることが好ましい。
【００１４】
また、前記制御部は、前記待受画面表示中に、前記操作部に前記選択オブジェクトを隣接する配置順序のオブジェクトに変更する操作が入力されたら、前記選択オブジェクトを変更し、かつ、前記配置順序を維持したまま、前記オブジェクトの表示位置を移動させ、前記カーソルの移動方向にある前記第２表示領域のオブジェクトの１つを前記第１表示領域に移動させ、前記カーソルの進行方向とは反対側にある前記第２表示領域のオブジェクトの１つを前記第２表示領域に移動させることが好ましい。
【００１５】
また、前記制御部は、前記カーソルを前記表示部の長手方向にのみ移動可能とし、前記第２表示領域を、前記第１表示領域の前記長手方向の一方の端部に隣接して表示させることが好ましい。
【００１６】
また、前記操作部は、操作されることで数字が入力される数字入力部と、を含み、前記制御部は、前記表示部が前記待受画面を表示している間に前記数字操作部が操作されたことを検出したら、前記表示部に表示させる画面を前記待受画面から入力された数値を表示させる画面に切り替えることが好ましい。
【００１７】
また、通信部をさらに有し、前記制御部は、前記数値を表示させる画面として、入力された数値を電話番号として表示させ、発信操作が入力されたら、前記通信部により入力された電話番号に対する発信処理を行うことが好ましい。
【００１８】
また、前記操作部は、操作されることで所定の機能を呼び出す機能呼出部を含み、前記制御部は、前記表示部が前記待受画面を表示している間に、前記機能呼出部が操作されたら、前記表示部に表示させる画面を、前記待受画面から前記機能呼出部に対応付けられた機能の画面に切り替えることが好ましい。
【００１９】
また、前記制御部は、前記第１表示領域及び前記第２表示領域に、前記複数のオブジェクトを表示した状態で前記操作部へ所定の操作が行われると、全てのオブジェクトを非表示、あるいは第１領域におけるオブジェクトの表示を識別指標のみによる表示に切り替えることが好ましい。
【発明の効果】
【００２０】
本発明に係る携帯端末装置は、待受画面に見やすくメモやショートカット等の画像を表示できる。
【図面の簡単な説明】
【００２１】
【図１】図１は、本発明の携帯端末装置の一実施形態の概略構成を示す斜視図である。
【図２】図２は、図１に示す携帯端末装置の機能の概略構成を示すブロック図である。
【図３】図３は、待受画面の一例を示す説明図である。
【図４】図４は、携帯端末装置の処理動作の一例を示すフロー図である。
【図５】図５は、携帯端末装置の処理動作の一例を示すフロー図である。
【図６】図６は、携帯端末装置の処理動作の一例を示すフロー図である。
【図７】図７は、携帯端末装置の動作を説明するための説明図である。
【図８】図８は、待受画面の他の例を示す説明図である。
【発明を実施するための形態】
【００２２】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下の説明では、携帯端末装置として携帯電話機を例として説明するが、本発明の適用対象は携帯電話機に限定されるものではない。例えば、ＰＨＳ（Personal  Handyphone  System）、ＰＤＡ（Personal  Digital  Assistant）、ポータブルナビゲーション装置、ノートパソコン、ゲーム機等に対しても本発明を適用できる。また、各図に示される各装置の大きさ、配置位置、配置個数などは、下記の実施形態に限定されるものではない。
【００２３】
まず、携帯端末装置の外観の構成を説明する。図１は、携帯端末装置の一実施形態の概略構成を示す斜視図である。携帯端末装置１は、無線通信機能を備えた携帯電話機である。携帯端末装置１は、１つの箱型形状の筐体１０の内部に各部が収納されたストレート形状の携帯電話機である。なお、本実施形態では、筐体１０を１つの箱型形状としたが、ヒンジで連結された２つの部材で構成した折りたたみ可能な筐体や、２つの部材をスライドさせる筐体としてもよい。また、３つ以上の部材を連結した筐体も用いることができる。
【００２４】
また、筐体１０には、表示部１１が設けられる。表示部１１は、液晶ディスプレイ（ＬＣＤ、Liquid  Crystal  Display）や、有機ＥＬ（Organic  Electro−Luminescence）パネルなどで構成された表示パネルであり、所定の画像を表示させる。ここで、所定の画像としては、待受画面を表示させたり、携帯端末装置１の操作を補助するために用いられるメニュー画像を表示させたりする。また、筐体１０には、携帯端末装置１の通話時に音声を受け取るマイク１２、携帯端末装置１の通話時に音声を発するレシーバ１３が設けられる。また、筐体１０には、通話相手の電話番号や、メール作成時等に文字を入力する操作部１５が設けられている。また、操作部１５は、方向キー１５ａと、各種機能呼出キー１５ｂと、数値入力キー（テンキー）１５ｃとで構成される。
【００２５】
次に、携帯端末装置１の機能と制御部との関係を説明する。図２は、図１に示す携帯端末装置の機能の概略構成を示すブロック図である。図２に示すように携帯端末装置１は、上述した、筐体１０と、表示部１１と、マイク１２と、レシーバ１３と、操作部１５に加え、制御部３０と、記憶部３１と、通信部３２と、音声処理部３３と、を有する。
【００２６】
制御部３０は、演算処理を行う処理部、例えばＣＰＵ（Central Processing Unit）である。すなわち、携帯端末装置１の各種の処理が、操作部１５の操作や携帯端末装置１の記憶部３１に保存されるソフトウェアに応じて適切な手順で実行されるように、通信部３２、表示部１１等の動作を制御する。制御部３０は、表示制御部３４と、情報取得処理部３５と、主制御部３６とを有する。
【００２７】
なお、制御部３０を構成する各部は、複数の演算装置で実現しても、１つの演算装置で実現してもよい。つまり、ＣＰＵ等の処理機能を制御部毎に別々にしても、１つの処理機能で並列処理を行うようにしてもよい。
【００２８】
表示制御部３４は、表示部１１に表示させる画像を生成する機能を備える。表示制御部３４は、主制御部３６から送られる画像データに基づいて画像信号を生成し、表示部１１に送る。これにより表示部１１には画像が表示される。情報取得処理部３５は、操作部１５から信号を取得し、主制御部３６に送る。すなわち、情報取得処理部３５は、ユーザーが操作部１５に入力した操作を指令信号として取得し、主制御部３６に送る。
【００２９】
主制御部３６は、携帯端末装置１の全体的な動作を統括的に制御する機能を備え、記憶部３１に保存されているプログラム（例えば、オペレーティングシステムプログラム、アプリケーションプログラム等）に基づいて処理を実行する。また、主制御部３６は、待受状態で表示させる画像、つまり、待受画面の表示を制御するアプリケーションを実行する。
【００３０】
次に、記憶部３１には、主制御部３６での処理に利用されるアプリケーションプログラムやデータが保存されている。具体的には、アプリケーションプログラムとして、待受画面アプリ３７、メモアプリ３８、インターネット通信を行うアプリケーションプログラム、メールの送受信を行うアプリケーションプログラム、発信、着信、通話処理を行うアプリケーションプログラム等が保存されている。ここで、待受画面アプリ３７とは、待受画面の表示を制御するアプリケーションプログラムである。また、メモアプリ３８とは、待受画面の表示の際に、メモ情報（電子付箋）の表示を制御、また、そのメモ情報の登録処理を制御するアプリケーションプログラムである。
【００３１】
また、記憶部３１は、データとして、画像データ、音声データ、文字変換のための辞書データ、アドレス帳データ等を記憶している。また、記憶部３１は、メモアプリ３８で使用するメモ情報（電子付箋）のデータを管理するメモテーブル３９を記憶している。なおメモ情報、メモテーブル３９については後ほど説明する。
【００３２】
さらに、記憶部３１は、データの保存、読み取りが可能な外部記憶装置と接続可能であり、主制御部３６の制御に基づいて、データを外部記憶装置に記憶させることもできる。なお、主制御部３６は、外部記憶装置に記憶されているデータを読み出し、読み出したデータを主制御部３６に送ることもできる。
【００３３】
通信部３２は、基地局によって割り当てられるチャネルを介し、基地局との間でＣＤＭＡ方式などによる無線信号回線を確立し、基地局との間で電話通信及び情報通信を行う。また、通信部３２は、テレビ放送を受信するアンテナや、ＧＰＳ信号を受信するアンテナも備える。
【００３４】
操作部１５は、方向キー１５ａ、各種機能呼び出しキー１５ｂ、数値入力キー１５ｃで構成されている。操作部１５を構成する各キーには、例えば、電源キー、通話キー、数字キー、文字キー、方向キー、決定キー、発信キーなど、各種の機能が割り当てられている。操作部１５は、これらのキーがユーザーの操作により入力されると、その操作内容に対応する信号を発生させる。そして、発生した信号は、ユーザーの指示として情報取得処理部３５へ入力される。
【００３５】
ここで、方向キー１５ａは、主に表示部１１が表示するカーソルの移動指示の機能が割り当てられたキーである。また、各種機能呼出キー１５ｂは、主に、メール送受信機能、撮像機能や、テレビ機能、インターネット機能などを呼び出す指示が割り当てられたキーである。また、数値入力キー１５ｃは、主に、数値の入力や、仮名文字の入力、アルファベットの入力が割り当てられたキーである。なお、数値入力キー１５ｃは、通話を開始する際（電話を掛ける際）の電話番号の入力に用いられる。なお、方向キー１５ａ、各種機能呼び出しキー１５ｂ、数値入力キー１５ｃには、上述した機能以外にも主制御部３６で駆動されているアプリケーションプログラムによって、種々の機能が割り当てられる。
【００３６】
音声処理部３３は、マイク１２に入力される音声信号やレシーバ１３から出力される音声信号の処理を実行する。
【００３７】
以下、図３から図７を用いて、携帯端末装置１の動作、具体的には、主制御部３６が、記憶部３１から待受画面アプリ３７と、メモアプリ３８を読み出し、処理を行った場合の制御について説明する。なお、以下の処理は、制御部３０の表示制御部３４、情報取得処理部３５、主制御部３６の各部により行われるが、説明では、制御部３０での処理として説明する。
【００３８】
まず、図３を用いて、表示部１１に表示させる待受画面について説明する。ここで、図３は、待受画面の一例を示す説明図である。まず、待受画面とは、電話の発着信を待ち受けている状態の画面、または、アプリケーションプログラムの起動を待ち受けている状態の画面である。つまり、待受画面は、制御部３０が表示部１１に表示させる複数の機能画面へ画面が変わる前の画面である。機能画面とは、携帯端末装置１が有する機能をユーザーに提供するための画面である。また、待受画面は、携帯端末装置１の起動処理が終了した後に表示される画面であり、かつ、起動しているアプリケーションを終了させた後、次のアプリケーションの起動を待っている間に表示される画面でもある。そして、ユーザーは、予め好みの画像や、時計等の状態表示を待受画面として設定している。
【００３９】
制御部３０は、自身（制御部３０）への電力の供給が開始された後であることや、省電力状態から復帰したこと、各種アプリケーションの終了処理が入力され、当該アプリケーションにより表示部１１に表示させる画像が無くなったことを検出したら、表示部１１に待受画面を表示させる。つまり、制御部３０は、待受画面を表示させる状態であることを検出したら、表示部１１に待受画面を表示させる。なお、制御部３０は、自身（制御部３０）への電力の供給が開始されてから待受画面を表示するまでの間に、製造元の社章を表す画像や、起動用画像などの画像を含む起動画面を表示部１１に表示させるようにしてもよい。
【００４０】
また、制御部３０は、待受画面を表示部１１に表示させている最中に、後述する操作部１５に機能画面への切替操作が入力されると、操作部１５に入力された切替操作に対応した機能画面へ待受画面から画面を切り替える。
【００４１】
ここで、待受画面４０は、図３に示すように、予めユーザーによって設定された画面４１（いわゆる壁紙）である。また、待受画面４０の上には、オブジェクト群４２と、カーソルキー画像４３が重畳して表示される。画像４１は、いわゆる待受画像として設定される画像であり、ユーザーの操作により種々の画像に設定することができる。
【００４２】
オブジェクト群４２は、複数のオブジェクト４４、４６で構成され、待受画面４０上の表示領域５０に表示されている。なお、待受画面４０である画像４１とオブジェクト４４、４６とが重なる領域は、オブジェクト４４、４６が優先的に、つまり画面の階層において上の階層となる設定で表示される。
【００４３】
オブジェクト４４、４６は、それぞれ、各種アプリケーションプログラムを実行するためのショートカット情報と、文字情報（テキスト情報）とのうちの少なくとも一方を含むメモ情報である。ここで、ショートカット情報とは、選択されると、階層、フォルダを飛び越えて、特定の対象（例えば、メニューの深い階層、ＵＲＬ（Uniform  Resource  Locator）、画像、アドレス帳の特定の人物の情報等）の処理に移動する機能を有する情報である。ユーザーは、ショートカット機能が対応付けられたメモ情報を選択すると、特定の対象に到達するまでに必要な階層、フォルダの移動操作を入力することなく、対応付けされた特定の対象に到達することができる。
【００４４】
オブジェクト４４、４６は、それぞれ、上述したメモ情報と、オブジェクトの種類を示すアイコンの情報と、初期表示時の表示領域、表示位置の情報とが対応付けられ、メモテーブル３９に記憶されている。つまり、メモテーブル３９には、オブジェクト４４、４６毎に、メモ情報と、オブジェクトの種類を示すアイコンの情報と、初期表示時の表示領域、表示位置の情報が記憶されている。制御部３０は、待受画面４０を表示させる際に、メモテーブル３９から必要な情報を読み出し、表示領域５０にオブジェクト４４、４６（正確には、オブジェクト４４、４６に対応付けられた画像）が表示される。なお、オブジェクト４４と、オブジェクト４６とは、表示形式及び表示領域が異なるのみで、基本的に同様の構成の情報である。
【００４５】
また、オブジェクト群４２を表示させている表示領域５０は、表示領域５０ａと表示領域５０ｂとに分割されており、表示領域５０ａには、オブジェクト４４が表示され、表示領域５０ｂには、オブジェクト４６が表示される。また、オブジェクト４４は、アイコン画像４４ａ及びテキスト画像４４ｂが表示され、オブジェクト４６は、アイコン画像４６ａのみが表示される。また、オブジェクト４４は、待受画面４０の上下方向（画面の長手方向）に隣接するオブジェクト４４が配置されている。オブジェクト４６は、待受画面４０の左右方向（画面の短手方向）に隣接するオブジェクト４６が配置されている。なお、以下では、アイコン画像とテキスト画像（ショートカット情報等の詳細情報）が表示される表示領域５０ａをショートカットエリア（第１表示領域）といい、アイコン画像のみが表示される表示領域５０ｂをストックエリア（第２表示領域）という。
【００４６】
なお、アイコン画像４４ａ、４６ａは、上述したようにオブジェクト４４、４６に対応付けられたアイコンの情報に基づいて作成される画像である。アイコン画像４４ａ、４６ａとしては、種類を絵柄で表す画像である。また、テキスト画像４４ｂは、オブジェクト４４の概要、また、記憶されている文字情報の一部をテキスト（文字）で示す画像である。
【００４７】
カーソルキー画像４３は、ユーザーの操作対象となるオブジェクトを示す画像である。本実施形態では、カーソルキー画像４３は、オブジェクトを囲うような枠の画像である。なお、カーソルキー画像４３は、オブジェクト群４２から操作対象となるオブジェクト４４間を移動して、いずれかを特定できるものであればよい。例えば、カーソルキー画像４３は、矢印の画像でもよい。なお、本実施形態の制御部３０は、表示領域５０ａのオブジェクト４４のみを操作対象として特定するため、カーソルキー画像４３は、オブジェクト４４のみを特定する。
【００４８】
携帯端末装置１は、図３に示すように、待受画面４０の上に複数のオブジェクト４４、４６で構成されるオブジェクト群４２を表示させる。このオブジェクト群４２の表示の際に、オブジェクト４６は、アイコン画像４６ａのみを表示させることで、より多くのオブジェクトを表示させることが可能となる。また、オブジェクト４４は、アイコン画像４４ａとテキスト画像４４ｂの両方を表示させることで、オブジェクトの内容を把握することができる。つまり、携帯端末装置１は、オブジェクトによって表示形式を分けることで、全オブジェクトを把握しつつ、必要なオブジェクトについては内容を把握できるように表示させることができる。これにより、待受画面の上により多くのオブジェクトを表示させつつ、必要に応じて各オブジェクトの内容を簡単に把握することができる。また、アイコン画像４６ａのみのオブジェクトも表示位置のどの位置にあるかを把握することができるため、選択しやすくなる。また、全てのオブジェクトを把握するために、表示ページを切り替える必要もなくなる。
【００４９】
また、オブジェクト群４２に表示させるオブジェクトの一部をアイコン画像４６ａのみとすることで、オブジェクト群の表示領域をオブジェクトの数に比して少なくすることができる。これにより、待受画面が表示される領域を大きくすることができ、背景画像となる待受画面を見やすくすることができる。これにより、ユーザーの好みの画像や、時計などを表示する設定となっている待受画面を見やすくすることができる。
【００５０】
ここで、オブジェクト群４２は、待受画面４０の表示の際に常に表示させる必要はなく、ユーザーの操作、設定により、表示方法を切り替えても良い。つまり、ユーザーが自身の設定した画像４１を見たい場合もあるので、制御部３０は、待受画面の表示時にユーザーの操作により、オブジェクト群４２の表示方法を切り替えるようにしてもよい。このように、オブジェクト群４２の表示方法を切り替え可能とすることで、待受画面４０を構成する画像４１をそのまま、または、オブジェクト群４２と重なる領域をより少ない状態にして、表示させることができる。
【００５１】
携帯端末装置１は、オブジェクト群４２を全て表示させないようにしてもよい。つまり、ユーザの操作により非表示にしてもよいが、待受画面４０の表示の際に、オブジェクト群４２の一部のオブジェクトのみを表示させるようにしてもよい、つまり、標準の表示設定よりも表示させるオブジェクト群４２の情報を少なくするようにしてもよい。例えば、携帯端末装置１は、表示領域５０ａに表示に設定されているオブジェクト４４のアイコン画像４４ａのみを表示させるようにしてもよい。また、携帯端末装置１は、アイコン画像４４ａとアイコン画像４６ａのみを表示させるようにしてもよい。このように、表示方法を切り替えた場合でも、オブジェクトの一部のみ、つまり、表示設定時よりもより少ない画像を表示させるようにすることで、オブジェクトの内容を認識可能にしつつ、画像４１を見やすくすることができる。これにより、ユーザーの好みの画像や、時計などを表示する設定となっている待受画面を見やすくすることができる。なお、非表示の設定とした場合は、オブジェクト群４２を全て表示させない設定とすることで、待受画面をより見やすくすることができる。
【００５２】
次に、図４を用いて、オブジェクトの登録時に制御部３０が実行する一連の手順を説明する。ここで、図４は、携帯端末装置の処理動作の一例を示すフロー図である。まず、制御部３０は、ステップＳ１２として、登録操作を検出する。ここで、登録操作とは、ユーザーがオブジェクトの登録を指示する操作であり、予め設定された種々の操作がある。例えば、メニューからオブジェクトへの登録を選択する操作や、操作部１５の登録が割り当てられているキーを押下する方法がある。
【００５３】
制御部３０は、ステップＳ１２で登録操作を検出したら、ステップＳ１４として、ショートカットエリアのオブジェクトの数がしきい値以下であるかを判定する。つまり、制御部３０は、メモテーブル３９に記憶されているオブジェクトのうち、初期表示位置がショートカットエリア（表示領域５０ａ）に設定されているオブジェクトの数を検出し、その数がしきい値以下であるかを判定する。なお、しきい値はショートカットエリアに表示できるオブジェクトの最大数以下の数であれば任意の数に設定することができる。また、しきい値は、ユーザーが設定しても予め設定した固定値としてもよい。
【００５４】
制御部３０は、ステップＳ１４でしきい値以下である（Ｙｅｓ）と判定したら、ステップＳ１６として、第１選択画面を表示させ、ステップＳ１４でしきい値以下ではない（Ｎｏ）つまり閾値を超えていると判定したら、ステップＳ１８として、第２選択画面を表示させ、ここで、第１選択画面及び第２選択画面は、共に、オブジェクトの初期表示位置（つまり、待受画面の起動時にオブジェクトを表示させる位置）を設定する画面である。ここで、第１選択画面は、オブジェクトの初期表示位置として、ショートカットエリアを設定しやすい、優先的に選択されるような画面である。例えば、登録位置、登録エリアを指定するためのカーソルキーが初期状態でショートカットエリア（ショートカットエリアを選択する項目）に表示されている画面である。また、第２選択画面は、オブジェクトの初期表示位置として、ストックエリアを設定しやすい、優先的に選択されるような画面である。例えば、カーソルキーが初期状態でストックエリア（ストックエリアを選択する項目）に表示されている画面である。なお、第１選択画面、第２選択画面は、共にユーザーの操作によりカーソルキーの位置が移動される。つまり、ユーザーは、初期状態のカーソルキーの位置とは、異なるエリアを選択することができる。
【００５５】
制御部３０は、ステップＳ１６またはステップＳ１８で選択画面を表示させたら、ステップＳ２０として、選択操作を検出する。つまり、制御部３０は、ユーザーによって操作部１５に入力された、オブジェクトの初期表示位置を選択する操作を検出する。
【００５６】
その後、制御部３０は、ステップＳ２２として、ショートカットエリアが選択されたかを判定する。つまり、制御部３０は、ステップＳ２０で検出した操作がショートカットエリアを選択する操作であるかを判定する。制御部３０は、ステップＳ２２でショートカットエリアが選択された（Ｙｅｓ）と判定したら、ステップＳ２４として、表示領域をショートカットエリアに設定する。つまり、制御部３０は、オブジェクトの初期表示位置にショートカットエリア（表示領域５０ａ）を対応付ける。また、制御部３０は、ステップＳ２２でショートカットエリアが選択されていない（Ｎｏ）、つまり、ストックエリアが選択されたと判定したら、ステップＳ２６として、表示領域をストックエリアに設定する。つまり、制御部３０は、オブジェクトの初期表示位置にストックエリア（表示領域５０ｂ）を対応付ける。
【００５７】
制御部３０は、ステップＳ２４、または、ステップＳ２６で表示領域を設定したら、ステップＳ２８として、メモテーブル３９に保存する。つまり、ステップＳ１２で入力されたオブジェクトの情報（ショートカット情報、メモ情報、アイコン情報等）と、ステップＳ２４またはステップＳ２６で対応付けられた初期表示位置の情報とをメモテーブルに保存する。制御部３０は、ステップＳ２８で、オブジェクトの情報及び初期表示位置の情報をメモテーブルに保存したら、本処理を終了する。
【００５８】
このように、携帯端末装置１は、オブジェクトの登録時にユーザーの選択により表示位置（表示領域５０ａか表示領域５０ｂか）を設定することができる。これにより、ユーザーは、オブジェクトの重要度、用途に応じて、表示領域を選択することができる。したがって、ユーザーは、必要な情報については、より多くの情報を表示させるように設定することができる。
【００５９】
次に、図５を用いて、表示部１１にオブジェクト群４２を表示させる操作を説明する。ここで、図５は、携帯端末装置の処理動作の一例を示すフロー図である。なお、オブジェクト群４２は、待受画面４０が表示されている場合に表示される。まず、制御部３０は、ステップＳ３０として、オブジェクト表示指示を検出する。ここで、オブジェクト表示指示とは、待受画面４０上にオブジェクト群４２を表示させる指示である。例えば、オブジェクト群４２を待受画面と共に表示させる設定の場合は、上述した待受画面を表示させる指示である。また、待受画面が表示され、かつオブジェクト群４２が表示されていない場合は、オブジェクト群４２を表示させる指示（操作）である。
【００６０】
制御部３０は、ステップＳ３０で、オブジェクト表示指示を検出したら、ステップＳ３２として、メモテーブルからデータを読み出す。つまり、制御部３０は、メモテーブル３９に記憶されているオブジェクトの情報を読み出す。制御部３０は、ステップＳ３２でデータを読み出したら、ステップＳ３４としてオブジェクトを表示させる。つまり、制御部３０は、ステップＳ３２で読み出したデータに基づいて、各オブジェクトの表示形式、表示位置、表示内容を設定し、その設定に基づいて、オブジェクトを待受画面４０上の表示領域５０に表示させる。ここで、制御部３０は、上述したように、初期表示位置に基づいて各オブジェクトの表示形式を決定する。つまり、初期表示位置がショートカットエリアに設定されているオブジェクトは、アイコン画像及びテキスト画像を該当する表示領域に表示させ、初期表示位置がストックエリアに設定されているオブジェクトは、アイコン画像のみを当該表示領域に表示させる。制御部３０は、ステップＳ３４でオブジェクトを表示させたら、本処理を終了する。
【００６１】
次に、図６を用いて、制御部３０によるオブジェクト群４２の表示時の処理動作について説明する。ここで、図６は、携帯端末装置の処理動作の一例を示すフロー図である。なお、携帯端末装置１は、操作部１５に入力された操作により、オブジェクト群４２の各オブジェクト４４、４６の表示位置を移動するように設定されている。また、各オブジェクトは、初期表示位置に対応して相対的な表示位置の順序が設定されている。
【００６２】
まず、制御部３０は、ステップＳ４０として、操作を検出したかを判定する。つまり、制御部３０は、操作部１５に入力された操作を検出したかを判定する。制御部３０は、ステップＳ４０で操作を検出していない（Ｎｏ）と判定したら、ステップＳ４０に進む。つまり、制御部３０は、操作を検出するまでステップＳ４０の処理を繰り返す。
【００６３】
制御部３０は、ステップＳ４０で操作を検出した（Ｙｅｓ）と判定したら、ステップＳ４２として、オブジェクトスクロール操作であるかを判定する。ここで、オブジェクトスクロール操作とは、予め設定された操作部１５の操作であり、例えば、方向キー１５ａのうち、上下方向のキーの押下である。
【００６４】
制御部３０は、ステップＳ４２でスクロール操作ではない（Ｎｏ）、つまり、設定された操作以外の操作を検出したと判定した場合は、ステップＳ４４として、入力操作を処理する。つまり、ステップＳ４０で検出した操作に対応付けられた操作を行う。例えば、他のアプリケーションの起動操作、各種設定値の変更操作等である。また、電話番号の入力も他の操作に相当する。制御部３０は、ステップＳ４４で処理を行ったら、ステップＳ４６としてオブジェクトの表示を継続しているかを判定する。つまり、制御部３０は、表示部１１の画面にオブジェクトが表示されているか、すなわち、他の画面に遷移していないかを判定する。制御部３０は、ステップＳ４６でオブジェクトの表示を継続している（Ｙｅｓ）と判定したら、ステップＳ４０に進み、上記処理を繰り返す。また、制御部３０は、ステップＳ４６でオブジェクトの表示を継続してない（Ｎｏ）つまり、他の画面に遷移したと判定したら、本処理を終了する。
【００６５】
次に、制御部３０は、ステップＳ４２でオブジェクトスクロール操作である（Ｙｅｓ）と判定したら、ステップＳ４８として、ショートカットエリアにあるオブジェクトの端の１つをストックエリアに移動させ、ステップＳ５０としてストックエリアにあるオブジェクトの端の１つをショートカットエリアに移動させる。つまり、制御部３０は、ステップＳ４０で検出したスクロール操作に基づいて、オブジェクトの表示位置を移動させる。
【００６６】
例えば、オブジェクトを所定方向に１つ移動（スクロール）させる操作が入力された場合は、制御部３０は、入力された方向の先にあるストックエリアのオブジェクトをショートカットエリアに移動させ、入力された方向の後ろ側の端にあるショートカットエリアのオブジェクトをストックエリアに移動させる。また、制御部３０は、その他のオブジェクトも、スクロール操作が入力された方向とは反対方向に表示位置を移動させる。より具体的には、制御部３０は、ショートカットエリアに表示されているオブジェクトのうち、スクロール操作で入力された方向（カーソルキー画像を移動させる方向）において、最も上流側（すなわち、入力した方向とは反対方向の端にある）にある１つのオブジェクトをストックエリアに移動させる。また、制御部３０は、ストックエリアに表示されているオブジェクトのうち、スクロール操作で入力された方向の最も上流側（すなわち、入力した方向とは反対方向の端にある）にある１つのオブジェクト（ショートカットエリアの入力した方向に端にあるオブジェクトに隣接したオブジェクト）をショートカットエリアに移動させる。なお、移動制御については、図７を用いて後ほど説明する。
【００６７】
制御部３０は、ステップＳ４８とステップＳ５０の移動処理を行ったら、ステップＳ５２として、オブジェクト表示終了かを判定する。つまり、制御部３０は、オブジェクトの表示を終了する指示が入力されているかを判定する。なお、指示は、操作部１５によりユーザーによって入力されても、制御部３０の処理によって入力されてもよい。
【００６８】
制御部３０は、ステップＳ５２でオブジェクト表示終了ではない（Ｎｏ）判定したら、ステップＳ４０に進み、上記処理を繰り返す。また、制御部３０は、ステップＳ５２でオブジェクト表示終了である（Ｙｅｓ）と判定したら、ステップＳ５４として、オブジェクト表示終了処理、つまり、表示部１１へのオブジェクトの表示を終了する処理を行い、本処理を終了する。
【００６９】
次に、図７を用いて、オブジェクトのスクロール移動について説明する。ここで、図７は、携帯端末装置の動作を説明するための説明図である。まず、待受画面４０を表示させ、かつ、オブジェクト群を表示させていない状態のとき、制御部３０は、画面８０ａに示すように、待受画面４０を構成する画像４１と、表示領域５０ａに対応するオブジェクトのアイコン画像４４ａのみを表示させる。つまり、待受け画面４０上にアイコン画像４４ａのみが表示されている。
【００７０】
制御部３０は、画像８０ａを表示させている状態で、オブジェクト表示指示（本実施形態では、方向キー１５ａの下キーの押下）を検出したら、画面８０ｂに示すように、表示領域５０ａにアイコン画像４４ａとテキスト画像４４ｂを表示させ、表示領域５０ｂにアイコン画像４６ａを表示させる。ここで、本実施形態では、表示領域５０ａには、７個のオブジェクトを表示させ、表示領域５０ｂには、８個のオブジェクトを表示させている。つまり、メモテーブル３９には、１５個のオブジェクトが保存され、７個のオブジェクトには、初期表示位置として、表示領域５０ａが対応付けられ、８個のオブジェクトには、初期表示位置として、表示領域５０ｂが対応付けられている。また、各オブジェクトには、「ショートカット１」から「ショートカット１５」がテキスト画像として対応付けられている。また、各オブジェクトには、「ショートカット１」から「ショートカット１５」が順に並ぶように相対位置情報が対応付けられている。また、ショートカット１とショートカット１５が隣接した相対位置として対応付けられている。つまり、相対的な配置順序に、始点も終点もなく、スクロール操作が入力され続けると、オブジェクトが循環するように相対位置が設定されている。また、表示領域５０ａでは、「ショートカット１」のオブジェクトから「ショートカット７」のオブジェクトが、上から下に向かって順番に配置され、表示領域５０ｂでは、「ショートカット８」のオブジェクトから「ショートカット１５」のオブジェクトが、左から右に向かって順番に配置されている。つまり、相対的な配置位置関係としては、表示領域５０ａの一番下のオブジェクトが、表示領域５０ｂの一番左のオブジェクトと隣接しており、表示領域５０ａの一番上のオブジェクトが、表示領域５０ｂの一番右のオブジェクトと隣接している設定となっている。
【００７１】
また、画面８０ｂは、ハートマークのアイコン画像８２ａと、ショートカット１のテキスト画像８２ｂとが対応付けられたオブジェクト８２が、表示領域５０ａの一番上に表示されている。また、カーソルキーは、表示領域５０ａの一番下のオブジェクト（「ショートカット７」に対応するオブジェクト）を指定している状態である。なお、以下では、入力されたスクロール操作と、オブジェクト８２の表示位置との関係を説明することで、スクロール操作について説明する。
【００７２】
制御部３０は、画面８０ｂに示す画像を表示させている状態から、スクロール操作として、方向キー１５ａの下キーの１回の押下を検出したら、画面８０ｃに示すように、各オブジェクトの表示位置を移動させる。なお、この場合、入力された方向が下方向であるので、ショートカットエリアは、画面の上側が上流となり、画面の下側が下流となる。また、ストックエリアは、制御部３０は、画面の左側が上流となり、画面の右側が下流となる。カーソルキー画像４３が対応付けられたオブジェクトを下方向にあるオブジェクトに切り替える。これにより、カーソルキー画像４３が対応付けられたオブジェクトは、「ショートカット７」のテキスト画像が対応付けられたオブジェクトから「ショートカット８」のテキスト画像が対応付けられたオブジェクトに移動する。ここで、カーソルキーに指定されたオブジェクトは、表示領域５０ａに移動される。そのため、ショートカット８のテキスト画像が対応付けられたオブジェクトは、画面８０ｂでは、表示領域５０ｂの一番左側に配置されているが、表示領域５０ａの一番下に移動され、画像８０ｃに示すように、アイコン画像とテキスト画像が表示される。
【００７３】
また、制御部３０は、ショートカット８のテキスト画像が対応付けられたオブジェクトを表示領域５０ａに移動させるのにあわせて、オブジェクト８２を表示領域５０ａから表示領域５０ｂに移動させる。これにより、オブジェクト８２は、アイコン画像８２ａのみが表示領域５０ｂに表示された状態となる。このように、制御部３０は、カーソルキーの移動操作にあわせて、オブジェクトを移動させ、入力操作方向（カーソルキー画像を移動させる方向）において上流側のオブジェクトを他の領域に移動させる。つまり、各エリアの、入力された方向の最も上流側にあるオブジェクト（「ショートカット８」のテキスト画像が対応付けられたオブジェクトと、オブジェクト８２）が他方のエリアに移動される。なお、カーソルキー画像４３は、「ショートカット８」のオブジェクトを指定（特定）している状態で表示される。
【００７４】
制御部３０は、画面８０ｃに示す画像を表示させている状態から、スクロール操作として、方向キー１５ａの下キーの１回の押下を検出したら、画面８０ｄに示すように、各オブジェクトの表示位置を移動させる。具体的には、制御部３０は、画像８０ｂから画像８０ｃへの移動と同様に、カーソルキーの移動操作にあわせて、オブジェクトを移動させ、入力操作方向上流側のオブジェクトを他の領域に移動させる。これにより、オブジェクト８２のアイコン画像８２ａは、表示領域５０ｂの右から２番目に移動される。また、「ショートカット２」のオブジェクトは、表示領域５０ａから表示領域５０ｂに移動される。また、「ショートカット９」のオブジェクトは、表示領域５０ｂから表示領域５０ａに移動される。また、カーソルキー画像４３は、「ショートカット９」のオブジェクトを指定している状態で表示される。
【００７５】
制御部３０は、画面８０ｂに示す画像を表示させている状態から、スクロール操作として、方向キー１５ａの上キーの１回の押下を検出したら、カーソルキー画像４３を移動操作があった方向に移動させる。つまり、制御部３０は、画像８０ｅに示すように、カーソルキー画像４３がショートカット６のオブジェクトを指定している状態とする。なお、各オブジェクトの表示位置は移動させない。このように、制御部３０は、スクロール操作が入力された方向にカーソルキー画像４３を移動可能な場合、つまり、カーソルキー画像４３が、表示領域５０ａにおいて、スクロール操作が入力された方向の進行方向の端に配置されていない場合は、カーソルキー画像４３の表示位置を移動させる。
【００７６】
次に、制御部３０は、画面８０ｂに示す画像を表示させている状態から、スクロール操作として、方向キー１５ａの上キーの６回の押下を検出したら、カーソルキー画像４３を移動操作があった方向に移動させる。この場合は、カーソルキー画像４３は、押下された回数分のオブジェクトを移動させる。つまり、制御部３０は、「ショートカット７」のオブジェクトから操作が入力された方向に６個離れたオブジェクトにカーソルキー画像４３を移動させる。すなわち、制御部３０は、画像８０ｆに示すように、カーソルキー画像４３が「ショートカット１」のオブジェクトを指定している状態とする。なお、この場合も各オブジェクトの表示位置は、移動されない。
【００７７】
制御部３０は、画面８０ｆに示す画像を表示させている状態から、スクロール操作として、方向キー１５ａの上キーの１回の押下を検出したら、画面８０ｇに示すように、各オブジェクトの表示位置を移動させる。なお、この場合、入力された方向が上方向であるので、ショートカットエリアは、画面の上側が下流となり、画面の下側が上流となる。また、ストックエリアは、制御部３０は、画面の右側が上流となり、画面の左側が下流となる。具体的には、制御部３０は、カーソルキーの移動操作にあわせて、オブジェクトを移動させ、入力操作方向の上流側のオブジェクトを他の領域に移動させる。これにより、オブジェクト８２のアイコン画像８２ａとテキスト画像８２ｂは、表示領域５０ａの一番上から２番目に移動される。また、「ショートカット７」のオブジェクト（表示領域５０ａにおいて入力操作方向の一番上流側にあるオブジェクト、表示領域５０ａにおいてカーソルキー画像４３から最も遠いオブジェクト）は、表示領域５０ａから表示領域５０ｂに移動される。また、ショートカット１５のオブジェクト（表示領域５０ｂにおいて入力操作方向の一番上流側にあるオブジェクト、表示領域５０ｂにおいてカーソルキー画像４３に最も近いオブジェクト）は、表示領域５０ｂから表示領域５０ａに移動される。また、カーソルキー画像４３は、ショートカット１５のオブジェクトを指定している状態で表示される。
【００７８】
このように、携帯端末装置１は、入力された移動操作に応じて、オブジェクトの表示位置を移動させることで、ストックエリア（表示領域５０ｂ）にあるオブジェクトも指定することができる。また、携帯端末装置１は、初期表示位置では、ストックエリアにあるオブジェクトをショートカットエリアに移動させ、テキスト画像を表示させることができる。これにより、各オブジェクトの情報を簡単に認識することができる。また、表示位置の移動時でも少なくともオブジェクトのアイコン画像を表示しているため、ユーザーは、全体のオブジェクトの概要を把握することができる。
【００７９】
なお、上記実施形態では、オブジェクトを選択する操作とそれに応じた画面表示について説明したが、制御部３０は、オブジェクトを選択している状態で、決定の操作が入力されたら、そのオブジェクトのテキスト情報の詳細情報を表示させたり、対応付けられている機能を実行させたりする。例えば、ショートカット機能が対応付けられている場合は、特定の対象に移動する処理を行う。
【００８０】
制御部３０は、決定されたオブジェクトがメニューの深い階層の機能を特定の対象として対応付けられたショートカット機能を備える場合、決定されると、メニューの深い階層の画面を表示させる。制御部３０は、決定されたオブジェクトがアドレス帳の中の連絡先を特定の対象として対応付けられたショートカット機能を備える場合、決定されると、連絡先の詳細な情報を表示させる。また、制御部３０は、決定されたオブジェクトがブラウザのお気に入りやＵＲＬを特定の対象として対応付けられたショートカット機能を備える場合、決定されると、ブラウザを起動させ、対応付けられているＵＲＬのＷｅｂページにアクセスしてページの情報を取得、または、キャッシュから呼び出してページの情報を取得し、Ｗｅｂページを画面に表示させる。制御部３０は、決定されたオブジェクトがテキストデータ（単なるテキストメモ）を備える場合、決定されると、テキストデータの全文を表示させる。なお、メモ情報は決定される前は、テキストデータのうち、先頭の一定文字数（例えば、２０文字）のみを表示させている。
【００８１】
ここで、図４に示す例では、第１選択画面として、ストックエリアも選択できるようにしたが、本発明はこれに限定されない。つまり、オブジェクトの数がしきい値以下の場合は、表示領域の選択を行うことなく、ショートカットエリアに表示させるようにしてもよい。
【００８２】
また、ショートカットエリア、ストックエリアへのオブジェクトの配置方法も本実施形態には限定されない。例えば、ストックエリアにオブジェクトをより多く表示させたい場合は、ストックエリアに２列でオブジェクトのアイコン画像を表示させるようにしてもよい。また、テキスト画像の表示方法も特に限定されない。例えば、文字を短列で表示させても２列で表示させてもよい。また、カーソルキーで選択されているオブジェクトはより詳細な情報を表示させるようにしてもよい。
【００８３】
また、上記実施形態では、各オブジェクトの表示位置をユーザーによって選択させたが、表示位置（表示領域、表示領域内での位置）の決定方法はこれには限定されない。例えば、各オブジェクトの使用頻度や重要度に応じて、制御部３０で表示順位を設定し、その表示順位に基づいて、各オブジェクトの表示位置を設定してもよい。また、表示させるアイコン画像は、種々の画像とすることができる。例えば、本実施形態では、オブジェクトの種類を示すアイコンを表示させたが、ユーザーによって任意に設定できるようにしてもよい。また、アイコンが画像の種類（模様）だけでなく、色を変化させるようにしてもよい。また、上記実施形態では、ショートカットエリアと、ストックエリアをそれぞれ１つずつの領域としたが、それぞれ複数の領域に分割されていてもよい。
【００８４】
なお、上記実施形態では、オブジェクトが循環して移動するように相対位置（配置順序）を設定したが、本発明はこれに限定されない。例えば、相対位置（配置順序）に始点と終点を設けてもよい。つまり、一方向へのスクロール操作を入力し続けるとオブジェクトが移動できなくなる設定としてもよい。
【００８５】
ここで、図８は、待受画面の他の例を示す説明図である。このように、相対位置に始点と終点を設ける場合は、図８に示すように、オブジェクトを表示する表示領域９０を、表示領域９０ａと、表示領域９０ｂと、表示領域９０ｃとに分ける。表示領域９０ａは、オブジェクトのアイコン画像とテキスト画像を表示させるショートカットエリアであり、表示領域９０ｂと、表示領域９０ｃは、オブジェクトのアイコン画像のみを表示させるストックエリアである。また、表示領域９０ｂは、画面上において、表示領域９０ａの下に配置されている。また、表示領域９０ｃは、画面上において、表示領域９０ａの上に配置されている。このように、表示領域９０ａを表示領域９０ｂと表示領域９０ｃとで挟み込み、各オブジェクトを上側に移動させる操作（表示領域９０ａの一番下にカーソルキー画像が配置されている状態で、さらに下方向に移動させる操作）が入力されたら、表示領域９０ｂにあるオブジェクトを表示領域９０ａに移動させ、表示領域９０ａにあるオブジェクトを表示領域９０ｃに移動させる。これにより、全体のオブジェクトの表示位置、表示順序を把握しつつ、オブジェクトを移動させることができる。また、表示領域９０ｂと、表示領域９０ｃのオブジェクトの数により、その移動方向に何回オブジェクトを移動できるかを把握することができる。
【００８６】
ここで、アイコンは、種々の種類から選択できるようにすることが好ましい。例えば、テキストメモの内容に対応するアイコン選択可能にすることで、アイコンのみの表示でもメモ情報の内容を推定することが可能となる。これにより、ナイフとフォークのマーク（アイコンの画像）であれば、食事に関するメモ情報、子供のマークであれば自分の子供に対する約束事、行事のメモ情報、電話のマークであれば電話をする用件のメモ情報であるという類推が可能となる。これにより、アイコン表示のみであっても、備忘録としての機能をより的確に発揮することができる。また、アイコンとして、ショートカット機能が対応付けられているアプリケーションを示すアイコンを選択できるようにしてもよい。
【００８７】
また、いずれの実施形態においても、待受画面上では、メモ情報の文字情報は、メモ情報のテキストデータのうち、先頭の２０文字程度を表示させる。また、文字情報に表示させる文字数を超えるテキストデータは、メモ情報が選択され、決定され、詳細な情報を表示させるモードなることで、表示される。なお、メモ情報が選択され、かつ決定される前の状態では、一部のテキストデータを追加で（つまり、先頭から３０文字程度で）表示させるようにしてもよい。
【００８８】
ここで、上記実施形態では、いずれもメモ情報を識別する指標としてアイコン画像（絵の記号）を用いたが、本発明はこれに限定されない。メモ情報を識別する指標（識別指標）としては、メモ情報を識別することができればよく、例えば単なる番号表示でもよい。また、いくつメモ情報があるかを認識できればよいので、「・」つまりドットの数で表示するようにしてもよい。なお、アイコン画像を用いることで、メモ情報の種類等も識別することが可能となるため、各メモ情報の識別が容易になり、操作性を高くすることができる。
【００８９】
ここで、携帯端末装置１は、待受画面の表示中に数値入力キー１５ｃが押下されたら、表示部１１に表示させる画面を待受画面から数値入力画面に切り替えることが好ましい。また、携帯端末装置１は、入力された数値を電話番号として認識し、発信操作が入力されたら、数値入力画面で入力された数値（電話番号）に対して、電話を掛けることが好ましい。つまり、制御部３０は、数字キーが操作され、数値が入力された後、発呼キー（発信キー）が操作されると、入力された数値列（数例）を電話番号として、発呼する発呼処理を行う。これにより、携帯端末装置を電話機として利用することができる。
【００９０】
また、制御部３０は、表示部３２にオブジェクト群を表示させている状態で、数字キーが操作された場合も、オブジェクトの表示を消して、操作された数字キーに対応する数字を表示部３２に表示させることも好ましい。
【００９１】
なお、携帯端末装置１は、待受画面の表示中に数値入力キー１５ｃが押下されたら（つまり、ステップＳ４４において入力操作が数値入力キー１５ｃと判定したら）、数値入力画面と文字入力画面の両方を表示させるようにしてもよい。つまり、数値入力キーに割り当てられた数値が入力されたと認識した場合の入力結果と、数値入力キーに割り当てられた文字が入力されたと認識した場合の入力結果の両方を表示させるようにしてもよい。これにより、テキスト入力画面を起動させることなく、文字を入力することができる。
【００９２】
また、携帯端末装置１は、上述したように、待受画面の表示中に各種機能呼び出しキー１５ｂが押下されたら、該当する機能（アプリケーション）を起動させ、表示部１１に表示させる画面を待受画面から該当する機能の画面に切り替えることが好ましい。これにより、各種機能を円滑に起動させることができる。
【産業上の利用可能性】
【００９３】
以上のように、本発明に係る携帯端末装置は、待受画面にオブジェクト画像を表示する携帯端末装置に有用である。
【符号の説明】
【００９４】
１  携帯端末装置
１０  筐体
１１  表示部
１２  マイク
１３  レシーバ
１５  操作部
１５ａ  方向キー
１５ｂ  各種機能呼出キー
１５ｃ  数値入力キー
３０  制御部
３１  記憶部
３２  通信部
３３  音声処理部
３４  表示制御部
３５  情報取得処理部
３６  主制御部
３７  待受画面アプリ
３８  メモアプリ
３９  メモテーブル
４０  待受画面
４１  背景画像
４２  オブジェクト群
４３  カーソルキー画像
４４、４６  オブジェクト
４４ａ、４６ａ  アイコン画像
４４ｂ  テキスト画像
５０、５０ａ、５０ｂ  表示領域
【図１】
0005468923.tif 000002
【図２】
0005468923.tif 000003
【図３】
0005468923.tif 000004
【図４】
0005468923.tif 000005
【図５】
0005468923.tif 000006
【図６】
0005468923.tif 000007
【図７】
0005468923.tif 000008
【図８】
0005468923.tif 000009